(57)【要約】      （修正有）【課題】光エネルギーの利用効率の向上を図ることができる表示装置を提供すること。【解決手段】表示装置１０は、光源３１から出射された光を透過可能な表示素子３２と、この表示素子３２の一部の領域を透過した第１の表示光Ｌ１を反射させる第１のミラー３４と、表示素子３２の他の領域を透過した第２の表示光Ｌ２を反射させる第２のミラー３５と、を有する。第２の表示光Ｌ２の光路は、前記第１のミラー３４及びフロントガラス１４の間において、第１の表示光Ｌ１の光路に沿っている。第１のミラー３４は、第２の表示光Ｌ２を遮らないように設けられている。【選択図】図１
2019174582.tif 000002
【特許請求の範囲】
【請求項１】
光源と、この光源から出射された光を透過可能な表示素子を備え、この表示素子を透過した光を被投影部材に投影する表示装置において、
前記表示素子の一部の領域を透過した光を第１の表示光とし、前記表示素子の他の領域を透過した光を第２の表示光とした場合に、
前記表示素子から前記被投影部材までにおける、前記第２の表示光の光路の長さは、前記第１の表示光の光路の長さよりも長く、
前記第１の表示光を反射させる第１のミラーと、前記第２の表示光を反射させる第２のミラーと、を有し、
前記第１のミラーは、第１の基材の表面に、光を反射可能な第１の反射部が形成されてなり、
前記第２のミラーは、第２の基材の表面に、光を反射可能な第２の反射部が形成されてなり、
前記第２の表示光の光路は、前記第１のミラー及び前記被投影部材の間において、前記第１の表示光の光路に沿っており、
前記第１のミラーは、前記第２の表示光を遮らないように設けられていることを特徴とする表示装置。
【請求項２】
前記表示素子に隣接して、前記第１の表示光及び／又は前記第２の表示光を屈折させるプリズムが設けられていることを特徴とする請求項１記載の表示装置。
【請求項３】
前記第２の反射部で反射した前記第２の表示光の光路は、前記第１の基材の端部に近傍する部位を含み、
前記第１の基材の端部は、前記第２の表示光の光路に平行な線を基準として、この平行な線に沿った形状を呈し、または、前記第１の基材の表面から裏面に向かって離間していく形状を呈することを特徴とする請求項１〜請求項２のいずれか１項記載の表示装置。
【請求項４】
前記第１の基材は、透明の素材によって構成され、
前記第１の反射部は、前記第２の表示光の光路を避けて形成されていることを特徴とする請求項１〜請求項２のいずれか１項記載の表示装置。
【発明の詳細な説明】
【技術分野】
【０００１】
本発明は、被投影部材に光を投射し情報を提供することができる表示装置に関する。
【背景技術】
【０００２】
車両には、フロントガラス等の被投影部材に光を投射させ運転者に必要な情報を提供するヘッドアップディスプレイ装置（表示装置）が搭載されることがある。表示装置は、フロントガラスに向かって光を投射させるために、光学素子を用いて光源から出射された光を反射しフロントガラスまで導く。このような表示装置の従来技術として特許文献１に開示される技術がある。
【０００３】
特許文献１に示されるような、表示装置は、光が投射され透過する表示素子と、この表示素子の一部の領域を透過した光が表面に入射するハーフミラーと、表示素子の他の領域を透過した光をハーフミラーの裏面に向かって反射させる反射ミラーと、を有している。
【０００４】
一部の領域を透過した光は、ハーフミラーで反射され、フロントガラスに到達し第１の投影像を視認させる。他の領域を透過した光は、反射ミラーで反射され、ハーフミラーを透過して、フロントガラスに到達し第２の投影像を視認させる。
【０００５】
他の領域を透過した光の光路は、一部の領域を透過した光の光路よりも長い。これにより、運転者は、第２の投影像が第１の投影像よりも前方に投影されているように認識する。
【先行技術文献】
【特許文献】
【０００６】
【特許文献１】特開２０１３−２１４００８号公報
【発明の概要】
【発明が解決しようとする課題】
【０００７】
特許文献１の表示装置では、ハーフミラーが用いられている。ハーフミラーは、照射された光の一部を反射させ、残りの一部を透過させる。このため、表示素子を透過した光に対して、フロントガラスに到達する光は弱くなる。このため、光エネルギーの利用効率が悪い。
【０００８】
本発明は、光エネルギーの利用効率の向上を図ることができる表示装置の提供を課題とする。
【課題を解決するための手段】
【０００９】
請求項１による発明によれば、光源と、この光源から出射された光を透過可能な表示素子を備え、この表示素子を透過した光を被投影部材に投影する表示装置において、
前記表示素子の一部の領域を透過した光を第１の表示光とし、前記表示素子の他の領域を透過した光を第２の表示光とした場合に、
前記表示素子から前記被投影部材までにおける、前記第２の表示光の光路の長さは、前記第１の表示光の光路の長さよりも長く、
前記第１の表示光を反射させる第１のミラーと、前記第２の表示光を反射させる第２のミラーと、を有し、
前記第１のミラーは、第１の基材の表面に、光を反射可能な第１の反射部が形成されてなり、
前記第２のミラーは、第２の基材の表面に、光を反射可能な第２の反射部が形成されてなり、
前記第２の表示光の光路は、前記第１のミラー及び前記被投影部材の間において、前記第１の表示光の光路に沿っており、
前記第１のミラーは、前記第２の表示光を遮らないように設けられていることを特徴とする表示装置が提供される。
【００１０】
請求項２に記載のごとく、好ましくは、前記表示素子に隣接して、前記第１の表示光及び／又は前記第２の表示光を屈折させるプリズムが設けられている。
【００１１】
請求項３に記載のごとく、好ましくは、前記第２の反射部で反射した前記第２の表示光の光路は、前記第１の基材の端部に近傍する部位を含み、
前記第１の基材の端部は、前記第２の表示光の光路に平行な線を基準として、この平行な線に沿った形状を呈し、または、前記第１の基材の表面から裏面に向かって離間していく形状を呈する。
【００１２】
請求項４記載のごとく、好ましくは、前記第１の基材は、透明の素材によって構成され、
前記第１の反射部は、前記第２の表示光の光路を避けて形成されている。
【発明の効果】
【００１３】
請求項１に係る発明では、第１の表示光を反射させる第１のミラー、及び、第２の表示光を反射させる第２のミラーを有している。ここで、第２の表示光の光路は、第１のミラー及び被投影部材の間において、第１の表示光の光路に沿っている。このような場合において、第１のミラーは、第２の表示光を遮らないように設けられている。結果、表示素子を透過した第１〜第２の表示光は、被投影部材に到達するまでの間において、光路が遮られることがない。このため、表示素子を透過した光の減衰を抑制することができる。言い換えると、光エネルギーの利用効率の向上を図ることができる表示装置を提供することができる。
【００１４】
請求項２に係る発明では、表示素子に隣接して、第１の表示光及び／又は第２の表示光を屈折させるプリズムが設けられている。ここで、第１の表示光及び／又は第２の表示光がプリズムを透過すると、第１の表示光及び／又は第２の表示光の光路は変わる。言い換えると、プリズムを利用して第１〜第２の表示光の光路を意図的に変化させることができる。これにより、表示装置内部における表示素子等の配置位置を変えることができる。即ち、配置設計の自由度を高めることができる。また、プリズムを用いることで、遠方に対応する表示像を斜め表示とすることができ、遠方であることを強調することができる。
【００１５】
請求項３にかかる発明では、第２の反射部で反射した第２の表示光の光路は、第１の基材の端部に近傍する部位を含んでいる。更に、第１の基材の端部は、第２の表示光の光路に平行な線を基準として、この平行な線に沿った形状を呈し、または、第１の基材の表面から裏面に向かって離間していく形状を呈している。これにより、第２の反射部で反射した第２の表示光は、第２の表示光の光路に平行な線を基準として、平行な線に沿った形状をした第１の基材の端部、または、第１の基材の表面から裏面に向かって離間していく形状をした第１の基材端部の近傍を通過することになる。即ち、第２の表示光の光路は、第１のミラー及び被投影部材の間において、第１の表示光の光路に対して近接して沿うことができるようになる。この結果、第１の表示光及び第２の表示光によって投射される像を互いに近づけることができる。
【００１６】
請求項４にかかる発明では、第１の基材は、透明の素材によって構成されている。更に、第１の反射部は、第２の表示光の光路を避けて形成されている。このため、第２の表示光は、第１の反射部に干渉されず、透明な素材によって構成された第１の基材を透過することができるようになる。これにより、第２の表示光の光路は、第１のミラー及び被投影部材の間において、第１の表示光の光路に対して近接して沿うことができるようになる。この結果、第１の表示光及び第２の表示光によって投射される像を互いに近づけることができる。
【図面の簡単な説明】
【００１７】
【図１】本発明の実施例１による表示装置の断面図である。
【図２】図１に示された表示ユニットの拡大図である。
【図３】図２に示された第１のミラーの端部の拡大図である。
【図４】実施例１による表示装置の作用を示す図である。
【図５】第１のミラーの形状を変化させることによる作用を説明する図である。
【図６】運転者が視認する第１の投影像及び第２の投影像を説明する図である。
【図７】図３に示された第１のミラーの変形例を示した図である。
【図８】実施例２による表示装置に用いられる表示ユニットの拡大図である。
【発明を実施するための形態】
【００１８】
本発明の実施の形態を添付図に基づいて以下に説明する。なお、説明中、前後とは車両の進行方向を基準として前後を指す。また、図中Ｕｐは上、Ｄｎは下、Ｆｒは前、Ｒｒは後を示している。
＜実施例１＞
【００１９】
図１を参照する。表示装置１０は、例えば、車両Ｖｅに搭載され、光を車両Ｖｅのフロントガラス１４（被投影部材１４）に投射する。運転者Ｍｎは、フロントガラス１４に投射された光から、車速やナビゲーション情報等の情報を得ることができる。
【００２０】
表示装置１０は、ケース２０と、このケース２０内部に固定された表示ユニット３０と、この表示ユニット３０から出射された光を前方に向かって反射させるように配置された平面鏡１２と、この平面鏡１２で反射された光が投射される共に反射可能な凹面鏡１３と、表示ユニット３０を制御する制御部１５と、からなる。
【００２１】
表示装置１０は、フロントガラス１４に第１の表示光Ｌ１及び第２の表示光Ｌ２を投射する。運転者Ｍｎは、フロントガラス１４に第１〜第２の表示光Ｌ１、Ｌ２が投射されることで、フロントガラス１４の前方に虚像である第１〜第２の投影像Ｉ１、Ｉ２が投影されているように認識する。運転者Ｍｎは、第１〜第２の投影像Ｉ１、Ｉ２から、車速や目的地への進路を把握することができる。
【００２２】
ケース２０は、下ケース２１に上ケース２２が被せられることによって構成されている。ケース２０は、箱形状を呈し、外部からの光を遮ることができる合成樹脂によって形成されている。
【００２３】
下ケース２１は、下ケース底面部２１ａと、この下ケース底面部２１ａの側縁から上方に立ち上げられた下ケース壁部２１ｂと、を有している。
【００２４】
上ケース２２は、上ケース天井部２２ａと、この上ケース天井部２２ａの側縁から下げられた上ケース壁部２２ｂと、を有している。
【００２５】
図２を参照する。表示ユニット３０は、光を出射可能な光源３１と、この光源３１から出射された光が透過する表示素子３２と、この表示素子３２に隣接して設けられると共に第２の表示光Ｌ２を屈折させるプリズム３３と、第１の表示光Ｌ１の光路上に配置され第１の表示光Ｌ１を反射する第１のミラー３４と、第２の表示光Ｌ２の光路上に配置され第２の表示光Ｌ２を反射させる第２のミラー３５と、を有している。
【００２６】
図１を参照する。表示素子３２からフロントガラス１４までにおいて、第２の表示光Ｌ２の光路は、第１の表示光Ｌ１の光路よりも長くなっている。これにより、運転者Ｍｎは、第１の投影像Ｉ１よりも前方に第２の投影像Ｉ２が投影されているように認識する。
【００２７】
図２を参照する。光源３１は、基板３１ａにＬＥＤ製のランプ３１ｂが実装されてなる。なお、光源３１は、表示素子３２を照射することができれば、ＬＥＤ製のランプ３１ｂを用いたものに限られない。
【００２８】
表示素子３２には、例えば、ＴＦＴ（Thin Film Transistor）液晶パネル等の透過型表示素子が採用される。表示素子３２は、光源３１から出射された様々な方向に振動している光のうち、一方向に振動している光のみを透過させる。言い換えると、表示素子３２を透過した第１〜第２の表示光Ｌ１、Ｌ２は、一方向のみに振動している直線偏光となっている。
【００２９】
ここで、第１の表示光Ｌ１とは、光源３１が出射した光であって、表示素子３２の上部の領域（一部の領域）を透過した光をいう。第２の表示光Ｌ２とは、光源３１が出射した光であって、表示素子３２の下部の領域（他の領域）を透過した光をいう。
【００３０】
プリズム３３は、第２の表示光Ｌ２の光路上に設けられている。
【００３１】
第１のミラー３４は、樹脂製の第１の基材３４ａと、この第１の基材３４ａの表面に薄膜状に金属が形成された第１の反射部３４ｂと、からなるフルミラーである。
【００３２】
第１のミラー３４は、第２の表示光Ｌ２を遮らないように設けられている。
【００３３】
図３を参照する。第１の基材３４ａの端部ｅは、第２の表示光Ｌ２の光路に平行な線を基準として、この線に沿った形状を呈している。第１の基材３４ａの端部ｅは、第２の表示光Ｌ２の光路に近接している。
【００３４】
図２を参照する。第１の反射部３４ｂは、例えば、アルミニウム等の金属によってなる。第１の反射部３４ｂは、第１の表示光Ｌ１を平面鏡１２（図１参照）に向かって反射可能となるように形成されている。
【００３５】
第２のミラー３５は、樹脂製の第２の基材３５ａと、この第２の基材３５ａの表面に薄膜状に金属が形成された第２の反射部３５ｂと、からなるフルミラーである。
【００３６】
第２の反射部３５ｂは、例えば、アルミニウム等の金属によってなる。第２の反射部３５ｂは、第２の表示光Ｌ２を平面鏡１２（図１参照）に向かって反射する。
【００３７】
図１を参照する。第２の反射部３５ｂは、第１のミラー３４及びフロントガラス１４の間における、第１の表示光Ｌ１の光路に沿うように第２の表示光Ｌ２を反射する。更に、第２の反射部３５ｂは、第２の表示光Ｌ２の光路が第１の基材３４ａの端部ｅに近傍する部位を含むように、第２の表示光Ｌ２を反射する。即ち、第２の表示光Ｌ２の光路は、第１のミラー３４及びフロントガラス１４の間において、第１の表示光Ｌ１の光路に近接して沿っている。
【００３８】
平面鏡１２は、上ケース２２に固定された平面鏡支持部１２ａと、この平面鏡支持部１２ａによって支持され光を反射可能な平面鏡面部１２ｂと、を有している。
【００３９】
平面鏡面部１２ｂは、例えば、平板状の基材表面に光を反射可能な金属が薄膜状に形成されたフルミラーによって構成される。
【００４０】
凹面鏡１３は、下ケース２１に固定され凹形状を呈している凹面鏡支持部１３ａと、この凹面鏡支持部１３ａの表面に形成され光を反射可能な凹面鏡面部１３ｂと、を有している。
【００４１】
凹面鏡面部１３ｂは、平面鏡１２によって反射された光をフロントガラス１４に反射する。凹面鏡面部１３ｂを介することで、第１〜第２の投影像Ｉ１、Ｉ２をより大きな像として認識させることができる。
【００４２】
フロントガラス１４は、例えば、運転者Ｍｎの前方に設けられた風防ガラスである。このフロントガラス１４に第１〜第２の表示光Ｌ１、Ｌ２が投射されると、運転者Ｍｎは、前方に第１〜第２の投影像Ｉ１、Ｉ２が投影されているように認識する。
【００４３】
制御部１５は、光源３１の点滅を制御する。更に、制御部１５は、表示素子３２を電圧制御し、表示素子３２内部にある結晶の分子配列を変化させる。制御部１５が表示素子３２を制御することで、フロントガラス１４に任意の像Ｉ１、Ｉ２を投影することができる。
【００４４】
次に、本発明の実施例１による表示装置１０の作用を説明する。
【００４５】
運転者Ｍｎは、フロントガラス１４に投射させた第１〜第２の表示光Ｌ１、Ｌ２を、フロントガラス１４の前方に第１〜第２の投影像Ｉ１、Ｉ２が投影されているように認識する。
【００４６】
図４を参照する。図４には、表示ユニット３０の拡大図が示されると共に光源３１から出射される第１〜第２の表示光Ｌ１、Ｌ２の光路が示されている。
【００４７】
ここで、様々な方向に振動している光のうち、一方向に振動している光のみが表示素子３２を透過可能である。表示素子３２の上部の領域（一部の領域）を透過した第１の表示光Ｌ１は、第１のミラー３４に到達し（ａ１）、第１のミラー３４で反射する（ａ２）。一方、表示素子３２の下部の領域（他の領域）を透過した第２の表示光Ｌ２は、第２のミラー３５に到達し（ａ３）、第２のミラー３５で反射する（ａ４）。
【００４８】
第１〜第２のミラー３４、３５で反射する第１〜第２の表示光Ｌ１、Ｌ２は、第１〜第２のミラー３４、３５に対する入射面において水平方向に振動する直線偏光（Ｓ偏光）である（ａ１、ａ３）。
【００４９】
反射された第１の表示光Ｌ１（ａ２）及び第２の表示光Ｌ２（ａ４）の進行方向には平面鏡１２（図１参照）が設けられている。この時、第２のミラー３５で反射した第２の表示光Ｌ２は、第１のミラー３４に遮られない（ａ４）。
【００５０】
図５を参照する。図５（ａ）には、比較例による表示装置１１０が模式的に示されている。比較例において、第１の基材１３４ａの端部ｅは、第２の表示光Ｌ２の光路に平行な線に沿わない。図５（ｂ）には、実施例１による表示装置１０が模式的に示されている。実施例１において、第１の基材３４ａの端部ｅは、第２の表示光Ｌ２の光路に平行な線に沿っている。
【００５１】
図５（ａ）を参照する。表示素子１３２の上部の領域（一部の領域）を透過した第１の表示光Ｌ３は、第１のミラー１３４で反射される。一方、表示素子１３２の下部の領域（他の領域）を透過した第２の表示光Ｌ４は、第２のミラー１３５で反射される。
【００５２】
ここで、上部の領域の上方を透過した第１の表示光Ｌ３（ｂ１）は、第１の反射部１３４ｂの端部によって反射される（ｂ２）。一方、下部の領域の下方を透過した第２の表示光Ｌ４（ｂ３）は、第２の反射部１３５ｂで反射し、第１のミラー１３４の裏面に投射される（ｂ４）。下部の領域の下方を透過した第２の表示光Ｌ４（ｂ３）は、第１のミラー１３４に干渉される（ｂ４）。結果、この干渉される光が透過した部位よりも上方の部位を透過した第２の表示光Ｌ４（ｂ５）が、第１のミラー１３４の近傍を通過することになる（ｂ６）。即ち、第１の表示光Ｌ３（ｂ２）及び第２の表示光Ｌ４（ｂ６）の光路の間には、所定の間隔が空くことになる。
【００５３】
第１〜第２の表示光Ｌ３、Ｌ４は、第１〜第２の反射部１３４ｂ、１３５ｂで反射され（ｂ１、ｂ５）、フロントガラス１１４に投射される（ｂ２、ｂ６）。この第１のミラー１３４の端部ｅで反射された光Ｌ３（ｂ２）は、運転者Ｍｎが視認する第１の投影像Ｉ３の上端（Ｂ１）を形成する光となる。一方、他の領域の下方を透過した光Ｌ４（ｂ６）は、運転者Ｍｎが視認する第２の投影像Ｉ４の下端（Ｂ２）を形成する光となる。
【００５４】
図６（ａ）を併せて参照する。第１の表示光Ｌ３（ｂ２）及び第２の表示光Ｌ４（ｂ６）は、フロントガラス１１４に投射された際、間隔が空く。このため、運転者Ｍｎは、間隔が空いた第１の投影像Ｉ３及び第２の投影像Ｉ４を視認する。第１の投影像Ｉ３及び第２の投影像Ｉ４は、Ｄだけ間隔が空いている。
【００５５】
図５（ｂ）を参照する。表示素子３２の下部の領域の下方を透過した第２の表示光Ｌ２（ａ３）は、第２の反射部３５ｂで反射し、第１のミラー３４の端部ｅの近傍を通過する（ａ４）。つまり、第２の表示光Ｌ２は、第２の表示光Ｌ２の光路に平行な線を基準として、この線に沿った形状を呈している部位ｅの近傍を通過する。これにより、第１の表示光Ｌ１及び第２の表示光Ｌ２の光路が互いに近接し、第２の表示光Ｌ２の光路は、第１の表示光Ｌ１の光路に沿うことになる。
【００５６】
図６（ｂ）を併せて参照する。この結果、第１の表示光Ｌ１（ａ２）及び第２の表示光Ｌ２（ａ４）は、フロントガラス１４に投射された際、互いが近接している。このため、第１の投影像Ｉ１の上端（Ａ１）及び第２の投影像Ｉ２の下端（Ａ２）は、近接することとなる。従って、運転者Ｍｎは、近接した第１の投影像Ｉ１及び第２の投影像Ｉ２を視認することができる。つまり、第１の投射像Ｉ１及び第２の投影像Ｉ２を互いに近づけることができる。
【００５７】
図３を参照する。第１のミラー３４の端部ｅの角度をθとし、第１のミラー３４表面と及び第２の表示光Ｌ２の光路が成す角度をφとした場合、θ＝φとなっている。
【００５８】
図７を参照する。図７には、第１のミラー３４の変形例が示されている。第１のミラー３４の端部ｅが、第２の表示光Ｌ２の光路に平行な線を基準として、第１の基材３４ａの表面から裏面に向かって離間していく形状を呈していても、同様の作用を得ることができる。即ち、第１の表示光Ｌ１及び第２の表示光Ｌ２の光路が互いに近接し、第２の表示光Ｌ２の光路は、第１の表示光Ｌ１の光路に沿うことができる。結果、運転者Ｍｎが視認する第１〜第２の投影像Ｉ１、Ｉ２互いに近づけることができる。
【００５９】
この時、第１のミラー３４の端部の角度をθとし、第１のミラー３４表面及び第２の表示光Ｌ２の光路が成す角度をφとした場合、θ＜φとなっている。
【００６０】
次に、本発明の実施例１による表示装置１０の効果を説明する。
【００６１】
図１を参照する。表示装置１０は、第１の表示光Ｌ１を反射させる第１のミラー３４、及び、第２の表示光Ｌ２を反射させる第２のミラー３５を有している。ここで、第２の表示光Ｌ２の光路は、第１のミラー３４及びフロントガラス１４の間において、第１の表示光Ｌ１の光路に沿っている。このような場合において、第１のミラー３４は、第２の表示光Ｌ２を遮らないように設けられている。結果、表示素子３２を透過した第１〜第２の表示光Ｌ１、Ｌ２は、フロントガラス１４に到達するまでの間において、光路が遮られることがない。このため、表示素子３２を透過した光の減衰を抑制することができる。言い換えると、光エネルギーの利用効率の向上を図ることができる表示装置１０を提供することができる。
【００６２】
また、表示素子３２に隣接して、第２の表示光Ｌ２を屈折させるプリズム３３が設けられている。第２の表示光Ｌ２がプリズム３３を透過すると、第２の表示光Ｌ２の光路は変わる。言い換えると、プリズム３３を利用して第２の表示光Ｌ２の光路を意図的に変化させることができる。これにより、表示装置１０内部における表示素子３２等の配置箇所を変えることができる。即ち、配置設計の自由度を高めることができる。また、プリズムを用いることで、遠方に対応する表示像を斜め表示とすることができ、遠方であることを強調することができる。
【００６３】
なお、表示素子３２に隣接して第１の表示光Ｌ１を屈折させるようにプリズム３３を設けても良い。つまり、第１の表示光Ｌ１の光路を意図的に変化させることで、配置設計の自由度を高めることもできる。さらには、プリズム３３によって第１の表示光Ｌ１及び第２の表示光Ｌ２の両方を屈折させても良い。このとき、プリズム３３は、第１の表示光Ｌ１及び第２の表示光Ｌ２を同じ方向に屈折させるものでもよいし、それぞれを異なる方向に屈折させるものであっても良い。
【００６４】
更に、第２の反射部３５ｂで反射した第２の表示光Ｌ２の光路は、第１の基材３４ａの端部ｅ（図３参照）に近傍する部位を含んでいる。更に、第１の基材３４ａの端部ｅは、第２の表示光Ｌ２の光路に平行な線を基準として、この平行な線に沿った形状を呈している。これにより、第２の反射部３５ｂで反射した第２の表示光Ｌ２は、第２の表示光Ｌ２の光路に平行な線を基準として、平行な線に沿った形状をした第１の基材３４ａの端部ｅの近傍を通過することになる。即ち、第２の表示光Ｌ２の光路は、第１のミラー３４及びフロントガラス１４の間において、第１の表示光Ｌ１の光路に対して近接して沿うことができるようになる。この結果、第１の表示光Ｌ１及び第２の表示光Ｌ２によって投射される像Ｉ１、Ｉ２を互いに近づけることができる。
【００６５】
なお、第１の基材３４ａの端部ｅ（図７参照）は、第２の表示光Ｌ２の光路に平行な線を基準として、第１の基材３４ａの表面から裏面に向かって離間していく形状を呈していても良い。これにより、第２の表示光Ｌ２は、第２の表示光Ｌ２の光路に平行な線を基準として、第１の基材３４ａの表面から裏面に向かって離間していく形状をした第１の基材３４ａの端部ｅの近傍を通過することになる。つまり、第２の表示光Ｌ２の光路は、第１のミラー３４及びフロントガラス１４の間において、第１の表示光Ｌ１の光路に対して近接して沿うことができるようになる。この結果、第１の表示光Ｌ１及び第２の表示光Ｌ２によって投射される像Ｉ１、Ｉ２を互いに近づけることができる。
【００６６】
次に、本発明の実施例２を図面に基づいて説明する。
【００６７】
図８を参照する。図８には、実施例２による表示装置１０Ａにおける表示ユニット３０Ａが示されており、上記図２に対応させて表している。実施例１と共通する部分については、符号を流用すると共に、詳細な説明を省略する。
【００６８】
表示ユニット３０Ａは、光を出射可能な光源３１と、この光源３１から出射された光が透過する表示素子３２と、この表示素子３２に隣接して設けられると共に第２の表示光Ｌ２を屈折させるプリズム３３と、第１の表示光Ｌ１の光路上に配置され第１の表示光Ｌ１を反射する第１のミラー３４Ａと、第２の表示光Ｌ２の光路上に配置され第２の表示光Ｌ２を反射させる第２のミラー３５と、を有している。
【００６９】
第１のミラー３４Ａは、透明の素材によって構成されている第１の基材３４Ａａと、この第１の基材３４Ａａの表面の一部（後述）に薄膜状に金属が形成された第１の反射部３４Ａｂと、からなるフルミラーである。
【００７０】
第１の基材３４Ａａは、例えば、透明なガラスによってなり、第２の表示光Ｌ２が通過可能である。
【００７１】
第１の反射部３４Ａｂは、第２の表示光Ｌ２の光路を避けて形成されている。第１の反射部３４Ａｂは、例えば、アルミニウム等の金属によってなる。
【００７２】
次に、本発明の実施例２による表示装置１０Ａの作用を説明する。
【００７３】
表示素子３２の上部の領域（一部の領域）を透過した第１の表示光Ｌ１は、第１の反射部３４ｂに到達し、第１の反射部３４ｂで反射する。一方、表示素子３２の下部の領域（他の領域）を透過した第２の表示光Ｌ２は、第２の反射部３５ｂに到達し、第２の反射部３５ｂで反射する。
【００７４】
反射された第２の表示光Ｌ２の進む先に配置されている第１の基材３４Ａａは、透明な素材からなり、第２の表示光Ｌ２が通過可能である。更に、第１の反射部３４Ａｂが第２の表示光Ｌ２の光路上を避けている。このため、第２のミラー３５で反射された第２の表示光Ｌ２は、第１の反射部３４Ａｂに干渉されず第１の基材３４Ａａを通過し、平面鏡１２（図１参照）に到達する。
【００７５】
次に、本発明の実施例２による表示装置１０Ａの効果について説明する。
【００７６】
第１の基材３４Ａａは、透明の素材によって構成されている。更に、第１の反射部３４Ａｂは、第２の表示光Ｌ２の光路を避けて形成されている。このため、第２の表示光Ｌ２は、第１の反射部３４Ａｂに干渉されず、透明な素材によって構成された第１の基材３４Ａａを透過することができるようになる。これにより、第２の表示光Ｌ２の光路は、第１のミラー３４Ａ及びフロントガラス１４（図１参照）の間において、第１の表示光Ｌ１の光路に対して近接して沿うことができるようになる。この結果、第１の表示光Ｌ１及び第２の表示光Ｌ２によって投射される像Ｉ１、Ｉ２を互いに近づけることができる。
【００７７】
従って、このように構成された実施例２による表示装置１０Ａにおいても、本発明所定の効果を得ることができる。
【００７８】
なお、本発明による表示装置１０、１０Ａが搭載される車両Ｖｅは、四輪車の他、二輪車や三輪車であってもよい。更には、車両Ｖｅ以外の乗り物や建機等にも適用可能である。
【００７９】
更に、実施例において示している平面鏡１２及び凹面鏡１３は、必須の構成要素ではない。つまり、これらを必要に応じてこれらを廃しても良い。
【００８０】
また、実施例において被投影部材１４をフロントガラス１４として説明した。しかしながら、被投影部材１４は、第１〜第２の表示光Ｌ１、Ｌ２を投射することができるものであれば良く、フロントガラス１４に限られない。本発明は、いわゆるコンバイナを被投影部材１４とした表示装置１０、１０Ａにも適用することができる。
【００８１】
本発明の作用及び効果を奏する限りにおいて、本発明は、実施例に限定されるものではない。
【産業上の利用可能性】
【００８２】
本発明の表示装置１０、１０Ａは、車両Ｖｅに搭載するのに好適である。
【符号の説明】
【００８３】
１０、１０Ａ…表示装置
１４…被投影部材（フロントガラス）
３１…光源
３２…表示素子
３３…プリズム
３４、３４Ａ…第１のミラー
３４ａ、３４Ａａ…第１の基材
３４ｂ、３４Ａｂ…第１の反射部
３５…第２のミラー
３５ａ…第２の基材
３５ｂ…第２の反射部
ｅ…端部
Ｍｎ…運転者
Ｌ１…第１の表示光
Ｌ２…第２の表示光
Ｉ１…第１の投影像
Ｉ２…第２の投影像
【図１】
2019174582.tif 000003
【図２】
2019174582.tif 000004
【図３】
2019174582.tif 000005
【図４】
2019174582.tif 000006
【図５】
2019174582.tif 000007
【図６】
2019174582.tif 000008
【図７】
2019174582.tif 000009
【図８】
2019174582.tif 000010